(57)【要約】【課題】外輪に繰り返し荷重が作用して外輪が弾性変形したとしても、シールドの変形を防止することができるシールド付き転がり軸受を提供する。【解決手段】シールド付き転がり軸受１０は、内周面に外輪軌道面１１ａを有する外輪１１と、外周面に内輪軌道面１２ａを有する内輪１２と、外輪軌道面１１ａと内輪軌道面１２ａとの間に転動自在に配設される複数の転動体１３と、転動体１３を円周方向に等間隔に保持する保持器１４と、外輪１１の軸方向端部に取り付けられるシールド１５と、を備え、シールド１５が外輪１１に弾性部材１８を介して取り付けられる。【選択図】図１
2008051253.tif 000002
【特許請求の範囲】
【請求項１】
内周面に外輪軌道面を有する外輪と、外周面に内輪軌道面を有する内輪と、前記外輪軌道面と前記内輪軌道面との間に転動自在に配設される複数の転動体と、前記転動体を円周方向に等間隔に保持する保持器と、前記外輪の軸方向端部に取り付けられるシールドと、を備えるシールド付き転がり軸受であって、
前記シールドが前記外輪に弾性部材を介して取り付けられることを特徴とするシールド付き転がり軸受。
【請求項２】
前記外輪の内周面の軸方向端部に、前記シールドを取り付けるためのシールド溝を全周に亘って設け、
前記シールドは、前記シールドの外周縁部であるシールド基端部を前記シールド溝に圧入させることにより取り付けられ、
前記シールド基端部と前記シールド溝との間に前記弾性部材を設けることを特徴とする請求項１に記載のシールド付き転がり軸受。
【請求項３】
前記シールドの前記シールド基端部に前記弾性部材を一体的に設けることを特徴とする請求項１又は２に記載のシールド付き転がり軸受。
【発明の詳細な説明】
【技術分野】
【０００１】
本発明は、シールド付き転がり軸受に関し、特に、自動車等の液圧ブレーキ装置の回転軸に取り付けられるシールド付き転がり軸受に関する。
【背景技術】
【０００２】
従来の液圧ブレーキ装置として、マスタシリンダと、ブレーキ液圧回路内に配設されるポンプ機構と、このポンプ機構を駆動する駆動モータと、を一体に備え、駆動モータの回転軸が、駆動モータの回転部分の重心を通る鉛直方向の直線に重なるように配設される液圧ブレーキ装置が知られている（例えば、特許文献１参照）。
【０００３】
そして、特許文献１に記載の液圧ブレーキ装置の駆動モータの回転軸に取り付けられる偏心カムに使用される転がり軸受には、軸受内に充填されたグリースの飛散を防止するために、シールド付き転がり軸受が使用されている。このシールド付き転がり軸受としては、例えば、外周縁部に複数の切り込みを径方向に設けたシールドを有するシールド付き転がり軸受（例えば、特許文献２参照）や、シールドを取り付けるためのシールド溝の軸方向内側側面と対向する軸方向内側面にシール材を全周に亘って添着させたシールドを有するシールド付き転がり軸受（例えば、特許文献３参照）が知られている。
【０００４】
【特許文献１】特開平０８−２８２４５９号公報
【特許文献２】実開昭６３−１３３６３９号公報
【特許文献３】特許第３６９５１２７号公報
【発明の開示】
【発明が解決しようとする課題】
【０００５】
しかしながら、特許文献２，３に記載のシールド付き転がり軸受では、ポンプ機構からの繰り返し荷重が外輪の外周面に径方向から作用するため、外輪が弾性変形して、この外輪の弾性変形がシールドに伝わり、シールドが繰り返し応力を受ける形となる。このため、シールドの切り込みに繰り返し応力が作用することとなり、金属疲労からシールドに径方向の亀裂が生じる可能性があった。そして、シールドに亀裂が生じてしまった場合は、シールドの外周縁部の加締め部に緩みが生じて、外輪とシールドとの間ですべりが生じて摩耗粉が発生してしまい、また、亀裂によりシールドが割れてしまった場合は、シールドが軸受から脱落して本来の軸受性能を保持することができなくなる。
【０００６】
本発明は、このような不都合を解消するためになされたものであり、その目的は、外輪に繰り返し荷重が作用して外輪が弾性変形したとしても、シールドの変形を防止することができるシールド付き転がり軸受を提供することにある。
【課題を解決するための手段】
【０００７】
本発明の上記目的は、下記の構成により達成される。
（１）  内周面に外輪軌道面を有する外輪と、外周面に内輪軌道面を有する内輪と、外輪軌道面と内輪軌道面との間に転動自在に配設される複数の転動体と、転動体を円周方向に等間隔に保持する保持器と、外輪の軸方向端部に取り付けられるシールドと、を備えるシールド付き転がり軸受であって、シールドが外輪に弾性部材を介して取り付けられることを特徴とするシールド付き転がり軸受。
（２）  外輪の内周面の軸方向端部に、シールドを取り付けるためのシールド溝を全周に亘って設け、シールドは、シールドの外周縁部であるシールド基端部をシールド溝に圧入させることにより取り付けられ、シールド基端部とシールド溝との間に弾性部材を設けることを特徴とする（１）に記載のシールド付き転がり軸受。
（３）  シールドのシールド基端部に弾性部材を一体的に設けることを特徴とする（１）又は（２）に記載のシールド付き転がり軸受。
【発明の効果】
【０００８】
本発明のシールド付き転がり軸受によれば、シールドが外輪に弾性部材を介して取り付けられるため、外輪に繰り返し荷重が作用して外輪が弾性変形したとしても、弾性部材が変形を吸収して、シールドに繰り返し応力が伝わることを防止できるので、シールドの変形を防止することができる。
【発明を実施するための最良の形態】
【０００９】
以下、本発明に係るシールド付き転がり軸受の各実施形態について、図面を参照して詳細に説明する。
【００１０】
（第１実施形態）
まず、図１を参照して、本発明に係るシールド付き転がり軸受の第１実施形態について説明する。
図１は本発明に係るシールド付き転がり軸受の第１実施形態を説明するための要部拡大断面図である。
【００１１】
本実施形態のシールド付き転がり軸受１０は、図１に示すように、内周面に外輪軌道面１１ａを有する外輪１１と、外周面に内輪軌道面１２ａを有する内輪１２と、外輪軌道面１１ａと内輪軌道面１２ａとの間に転動自在に配設される複数の玉（転動体）１３と、玉１３を円周方向に等間隔に保持する保持器１４と、外輪１１の軸方向端部に取り付けられるシールド１５と、を備える。また、外輪１１の内周面の軸方向端部には、シールド１５を取り付けるためのシールド溝１１ｂが全周に亘って形成される。
【００１２】
シールド１５は、ステンレス鋼板等の金属板からなる円環板状体であり、その外周縁部であるシールド基端部１６には、断面略円形状の折り返し部１７が全周に亘って形成されると共に、径方向に沿って形成される不図示のスリットが円周方向に等間隔に形成される。
【００１３】
そして、本実施形態では、外輪１１のシールド溝１１ｂに弾性部材１８が圧入されており、シールド１５は、この弾性部材１８が圧入されたシールド溝１１ｂに、シールド基端部１６の折り返し部１７を圧入させることにより外輪１１に取り付けられる。これにより、シールド１５が外輪１１に弾性部材１８を介して取り付けられ、シールド１５のシールド基端部１６とシールド溝１１ｂとの間に弾性部材１８が配設される。
【００１４】
弾性部材１８の材料としては、繰り返し応力が作用しても疲労が極めて少ない材料が好ましく、例えば、ゴム、エラストマー等の高分子材料を挙げることができる。
【００１５】
以上説明したように、本実施形態のシールド付き転がり軸受１０によれば、シールド１５が外輪１１に弾性部材１８を介して取り付けられるため、外輪１１に繰り返し荷重が作用して外輪１１が弾性変形したとしても、弾性部材１８が変形を吸収して、シールド１５に繰り返し応力が伝わることを防止できるので、シールド１５の変形を防止することができる。
【００１６】
（第２実施形態）
次に、図２を参照して、本発明に係るシールド付き転がり軸受の第２実施形態について説明する。なお、第１実施形態と同一又は同等部分については、図面に同一符号を付してその説明を省略或いは簡略化する。
図２は本発明に係るシールド付き転がり軸受の第２実施形態を説明するための要部拡大断面図である。
【００１７】
本実施形態のシールド付き転がり軸受２０は、図２に示すように、上記第１実施形態のシールド１５の代わりにシールド２５を使用する。このシールド２５は、その外周縁部であるシールド基端部２６の軸方向内側面及び外側面の両面に弾性部材２８が一体的に設けられる。そして、シールド２５は、弾性部材２８が一体的に設けられたシールド基端部２６の折り返し部２７を、外輪１１のシールド溝１１ｂに圧入させることにより外輪１１に取り付けられる。これにより、シールド２５が外輪１１に弾性部材２８を介して取り付けられる。なお、シールド溝１１ｂは、外輪１１の内周面の軸方向端部に全周に亘って形成されているが、断続的に形成されていてもよい。
【００１８】
以上説明したように、本実施形態のシールド付き転がり軸受２０によれば、シールド２５が外輪１１に弾性部材２８を介して取り付けられるため、外輪１１に繰り返し荷重が作用して外輪１１が弾性変形したとしても、弾性部材２８が変形を吸収して、シールド２５に繰り返し応力が伝わることを防止できるので、シールド２５の変形を防止することができる。
その他の構成及び作用効果については、上記第１実施形態と同様である。
【図面の簡単な説明】
【００１９】
【図１】本発明に係るシールド付き転がり軸受の第１実施形態を説明するための要部拡大断面図である。
【図２】本発明に係るシールド付き転がり軸受の第２実施形態を説明するための要部拡大断面図である。
【符号の説明】
【００２０】
１０，２０    シールド付き転がり軸受
１１          外輪
１１ａ        外輪軌道面
１１ｂ        シールド溝
１２          内輪
１２ａ        内輪軌道面
１３          玉（転動体）
１４          保持器
１５，２５    シールド
１６，２６    シールド基端部
１７，２７    折り返し部
１８，２８    弾性部材
【図１】
2008051253.tif 000003
【図２】
2008051253.tif 000004